(57)【特許請求の範囲】
【請求項１】
コンテンツを再生するコンテンツ再生装置と、
上記コンテンツ再生装置にコンテンツを供給するコンテンツ供給装置と、を備え、
上記コンテンツ再生装置は、
上記コンテンツ供給装置から供給されるコンテンツを再生する第１の再生モード、コンテンツ供給装置から供給される指示に基づいてコンテンツを再生する上記第１の再生モードとは異なる再生モードの何れかの再生モードによりコンテンツを再生する再生手段を備え、
上記再生手段は、上記第１の再生モードを実行しているときに、上記コンテンツ供給装置から指示が供給された場合、上記第１の再生モードとは異なる再生モードに切り替えて、コンテンツ供給装置から供給された指示に基づいてコンテンツの再生を行い、
上記コンテンツ供給装置は、
特定の周波数帯で通信を行う通信部を備え、
上記コンテンツ再生装置が上記第１の再生モードによりコンテンツの再生を行っている状態で、上記通信部に着信があったとき、上記コンテンツ再生装置に対して、上記第１の再生モードとは異なる再生モードに切り替えるモード切替指示信号を出力し、当該コンテンツ再生装置へのコンテンツ供給を停止する
ことを特徴とするコンテンツ再生システム。
【請求項２】
上記コンテンツ供給装置からのコンテンツ供給が停止された時点で再生されているコンテンツを一時的に記憶部に記憶する記憶手段を更に備え、
上記再生手段は、上記第１の再生モードとは異なる再生モードを実行するときに、上記記憶部に一時的に記憶されたコンテンツを再生する
ことを特徴とする請求項１に記載のコンテンツ再生システム。
【請求項３】
上記再生手段は、上記第１の再生モードとは異なる再生モードを実行するときに、上記指示が供給されるまで上記コンテンツ供給装置から供給されていたコンテンツとは異なる他のコンテンツを再生する
ことを特徴とする請求項１に記載のコンテンツ再生システム。
【請求項４】
上記再生手段は、上記第１の再生モードとは異なる再生モードを実行しているときに、上記コンテンツ供給装置からのコンテンツ供給が再開された場合、上記第１の再生モードに切り替えて、上記コンテンツ供給装置から供給されるコンテンツの再生を行う
ことを特徴とする請求項１から３の何れか１項に記載のコンテンツ再生システム。
【請求項５】
上記コンテンツ供給装置は、上記コンテンツ再生装置に対し、コンテンツの供給を停止した位置からコンテンツの供給を再開する
ことを特徴とする請求項１から４の何れか１項に記載のコンテンツ再生システム。
【請求項６】
上記コンテンツ供給装置は、上記コンテンツ再生装置に対し、コンテンツの供給を停止した位置よりも前の位置からコンテンツの供給を再開する
ことを特徴とする請求項１から４の何れか１項に記載のコンテンツ再生システム。
【請求項７】
上記コンテンツ供給装置は、上記コンテンツ再生装置へのコンテンツ供給を停止した後、上記コンテンツ再生装置と接続するための通信ケーブルの接続が解除され、その後、当該通信ケーブルが再び接続されたとき、上記コンテンツ再生装置へのコンテンツ供給を再開する
ことを特徴とする請求項１から６の何れか１項に記載のコンテンツ再生システム。
【発明の詳細な説明】
【技術分野】
【０００１】
本発明は、コンテンツ供給装置から供給されたコンテンツを再生するコンテンツ再生装置に関する。
【背景技術】
【０００２】
外部装置を接続し、接続した外部装置から取得したコンテンツを再生するテレビが広く知られている。また、テレビと外部装置とを接続する方法として、ＨＤＭＩ（High-Definition Multimedia Interface）ケーブルを用いて接続する方法が一般的になってきている。
【０００３】
ＨＤＭＩを用いると、一本のケーブルで映像と音声を伝送することができる。また、ＨＤＭＩ規格において定められているＣＥＣ（Consumer Electronics Control）コマンドにより、様々な機器間の連携が行えるようになる。
【０００４】
特許文献１には、このＨＤＭＩの技術を利用して、接続部に外部装置が接続されているか否かを確認するための確認コマンドを出力し、外部装置から確認コマンドに対する応答があるか否かを判定することによって、外部装置が接続されているか否かを判定する技術が開示されている。
【０００５】
また、特許文献２には、ＨＤＭＩのＣＥＣを利用することによって、ＨＤＭＩ接続されたテレビの電源状態を認識し、複数のスタンバイモードを効率よく切り替える技術が開示されている。
【先行技術文献】
【特許文献】
【０００６】
【特許文献１】特開２００８−２５２４５２号公報（２００８年１０月１６日公開）
【特許文献２】特開２００９−３０１６３３号公報（２００９年１２月２４日公開）
【発明の概要】
【発明が解決しようとする課題】
【０００７】
このように、ＨＤＭＩ接続を利用した機能の一例として、ＨＤＭＩケーブルによってテレビと携帯電話とを接続し、携帯電話に記憶されているコンテンツを再生し、テレビに表示する機能が考えられている。
【０００８】
但し、携帯電話に記憶されているコンテンツを再生してテレビに表示しているときに、携帯電話が所定の状態になった場合には、コンテンツの再生を停止して、携帯電話とテレビとの接続を一時的に解除する必要がある。例えば、携帯電話へ着信があった場合、テレビと接続されている状態では通話がしにくいため、一時的にテレビに接続するためのケーブルを抜いて接続を解除した状態で通話することが通常である。
【０００９】
しかし、携帯電話とテレビとの接続が解除された場合に、携帯電話に記憶されているコンテンツがテレビに供給されなくなるため、テレビには何も表示されなくなってしまう（黒画面表示になる）という問題があった。
【００１０】
つまり、これまでの技術では、テレビのように、外部に設けられた装置からコンテンツが供給され、そのコンテンツを再生するコンテンツ再生装置においては、外部からのコンテンツの供給が停止されると、コンテンツの再生、すなわち映像の表示が行われない。
【００１１】
本発明は、上記の課題を解決するためになされたものであり、その目的は、外部から供給されるコンテンツを再生しているときに、外部からのコンテンツの供給が停止した場合であっても、コンテンツを再生し続けるコンテンツ再生装置を提供することにある。
【課題を解決するための手段】
【００１２】
本発明に係るコンテンツ再生装置は、上記課題を解決するために、コンテンツを再生するコンテンツ再生装置において、外部から供給されるコンテンツを再生する第１の再生モード、外部から供給される指示に基づいてコンテンツを再生する第２の再生モードの何れかの再生モードによりコンテンツを再生する再生手段を備え、上記再生手段は、上記第１の再生モードを実行しているときに、外部から指示が供給されると共にコンテンツ供給が停止された場合、上記第２の再生モードに切り替えて、外部から供給された指示に基ついてコンテンツの再生を行うことを特徴としている。
【００１３】
上記の構成によれば、外部からのコンテンツ供給が停止された場合に、上記第２の再生モードに切り替えて、外部から供給された指示に基ついてコンテンツを再生する。このため、上記コンテンツ再生装置は、外部からのコンテンツ供給が停止されている間、何も再生されない状態を回避し、上記外部から供給された指示に基ついてコンテンツを再生し続けることができる。これによって、外部から供給されるコンテンツを上記コンテンツ再生装置で視聴しているユーザは、外部からのコンテンツ供給が停止されている間も、上記コンテンツ再生装置において再生されるコンテンツを視聴することができる。
【００１４】
なお、コンテンツとは、動画像、静止画像、音声などを含むデータであり、外部からのコンテンツ供給が停止されている間に再生されるコンテンツは、静止画像であってもよいし、動画像、音声付静止画像、音声のみのコンテンツなどであってもよい。
【００１５】
なお、外部から供給される指示とは、例えば、上記コンテンツ再生装置に、供給しているコンテンツを一時的に記録させ、記録されたコンテンツの動画、静止画などを表示させる指示であってもよいし、記録されたコンテンツの動画、静止画などに重畳してメッセージを表示させる指示であってもよい。
【００１６】
なお、外部とは、例えば、携帯電話、ビデオカメラなど、自装置に記憶しているコンテンツをコンテンツ再生装置に供給可能なコンテンツ供給装置であり、コンテンツの供給を行っているときに所定の動作を行う場合、コンテンツの供給を停止する必要のある装置である。上記所定の動作とは、例えば、コンテンツ供給装置が携帯電話であるとき、通話を行う動作などであり、ビデオカメラであるとき、録画を行う動作などである。
【００１７】
本発明に係るコンテンツ再生装置は、外部からのコンテンツ供給が停止された時点で再生されているコンテンツを一時的に記憶部に記憶する記憶手段を更に備え、上記再生手段は、上記第２の再生モードを実行するときに、上記記憶部に一時的に記憶されたコンテンツを再生することが好ましい。
【００１８】
上記の構成によれば、外部からのコンテンツ供給が停止された場合にも、外部から供給されていたコンテンツを再生し続けることができる。これによって、外部から供給されるコンテンツを上記コンテンツ再生装置で視聴しているユーザは、外部からのコンテンツ供給が停止されている間も、外部から供給されたコンテンツを視聴し続けることができる。
【００１９】
なお、外部からのコンテンツ供給が停止されている間に再生される、外部から供給されたコンテンツは、静止画像であってもよいし、動画像、音声付静止画像、音声のみのコンテンツなどであってもよい。
【００２０】
本発明に係るコンテンツ再生装置における上記再生手段は更に、上記第１の再生モードを実行しているときに、外部からのコンテンツ供給が停止された場合、上記外部から供給されるコンテンツとは異なる他のコンテンツを再生する第３の再生モードを実行することが好ましい。
【００２１】
上記の構成によれば、外部からのコンテンツ供給が停止された場合に、上記第３の再生モードに切り替えて、上記外部から供給されるコンテンツとは異なる他のコンテンツを再生する。これによって、上記コンテンツ再生装置は、外部からのコンテンツ供給が停止されている間、何も再生されない状態を回避し、上記内部に予め記憶されているコンテンツ、上記外部とは異なる装置などから供給されるコンテンツなど、コンテンツを再生し続けることができる。
【００２２】
本発明に係るコンテンツ再生装置における上記再生手段は更に、上記第２または第３の再生モードを実行しているときに、外部からのコンテンツ供給が再開された場合、上記第１の再生モードに切り替えて、上記外部から供給されるコンテンツの再生を行うことが好ましい。
【００２３】
上記の構成によれば、上記第２または第３の再生モードを実行しているときに、外部からのコンテンツ供給が再開された場合、再び外部から供給されるコンテンツの再生を行ため、外部から供給されるコンテンツを上記コンテンツ再生装置で視聴しているユーザは、外部からのコンテンツ供給が停止されたコンテンツを再び視聴することができる。
【００２４】
本発明に係るコンテンツ再生システムは、上記課題を解決するために、コンテンツを再生するコンテンツ再生装置と、上記コンテンツ再生装置にコンテンツを供給するコンテンツ供給装置と、を備え、上記コンテンツ再生装置は、上記コンテンツ供給装置から供給されるコンテンツを再生する第１の再生モード、コンテンツ供給装置から供給される指示に基づいてコンテンツを再生する第２の再生モードの何れかの再生モードによりコンテンツを再生するとともに、上記コンテンツ供給装置は、上記コンテンツ再生装置が上記第１の再生モードによりコンテンツの再生を行っている状態で、当該コンテンツ再生装置へのコンテンツ供給を停止するとき、上記コンテンツ再生装置に対して、上記第２の再生モードに切り替えるモード切替指示信号を出力することを特徴としている。
【００２５】
上記の構成によれば、上記コンテンツ供給装置からのコンテンツ供給を停止する場合に、上記コンテンツ再生装置において再生されるコンテンツを、上記コンテンツ供給装置から供給されるコンテンツから、上記コンテンツ再生装置の内部に記憶されたコンテンツに切り替えることができる。このため、上記コンテンツ供給装置から供給されるコンテンツを上記コンテンツ再生装置で視ているユーザは、上記コンテンツ供給装置からのコンテンツ供給が停止されている間も、上記コンテンツ再生装置において再生されるコンテンツを視聴することができる。
【００２６】
本発明に係るコンテンツ再生システムにおける上記コンテンツ供給装置は更に、上記コンテンツ再生装置に対し、コンテンツの供給を停止した時点からコンテンツの供給を再開することが好ましい。
【００２７】
上記の構成によれば、上記コンテンツ供給装置は、コンテンツの供給の再開に際し、供給を停止した時点からコンテンツの供給を再開する。これによって、上記コンテンツ再生装置において再生されるコンテンツを視聴するユーザは、供給が停止された時点からコンテンツの視聴を再開することができる。
【００２８】
本発明に係るコンテンツ再生システムにおける上記コンテンツ供給装置は更に、上記コンテンツ再生装置に対し、コンテンツの供給を停止した時点よりも前の時点からコンテンツの供給を再開することが好ましい。
【００２９】
上記の構成によれば、上記コンテンツ供給装置は、コンテンツの供給の再開に際し、供給を停止した時点よりも前の時点からコンテンツの供給を再開する。これによって、上記コンテンツ再生装置において再生されるコンテンツを視聴するユーザは、供給が停止された時点よりも前の時点からコンテンツの視聴を再開することができるため、停止した時点からコンテンツの表示を再開するよりも内容をスムーズに思い出すことができ、これから再生されるコンテンツの内容を容易に理解することができる。
【００３０】
本発明に係るコンテンツ再生装置の再生方法は、コンテンツを再生するコンテンツ再生装置の再生方法であって、外部から供給されるコンテンツを再生する第１の再生モード、外部から供給される指示に基づいてコンテンツを再生する第２の再生モードの何れかの再生モードによりコンテンツを再生する再生ステップを含み、上記再生ステップは、上記第１の再生モードを実行しているときに、外部から指示が供給されると共にコンテンツ供給が停止された場合、上記第２の再生モードに切り替えて、外部から供給された指示に基づいてコンテンツの再生を行うことを特徴としている。
【００３１】
上記の構成によれば、外部からのコンテンツ供給が停止された場合にも、上記第２の再生モードに切り替えて、上記内部に記憶されたコンテンツを再生する。このため、上記コンテンツ再生装置は、外部からのコンテンツ供給が停止されている間、何も再生されない状態を回避し、上記内部に記憶されたコンテンツを再生し続けることができる。これによって、外部から供給されるコンテンツを上記コンテンツ再生装置で視聴しているユーザは、外部からのコンテンツ供給が停止されている間も、上記コンテンツ再生装置において再生されるコンテンツを視聴することができる。
【００３２】
また、コンピュータを本発明に係るコンテンツ再生装置の各手段として機能させることを特徴とするプログラム、及び、それらのプログラムを記録したコンピュータ読み取り可能な記録媒体も本発明の範疇に含まれる。
【発明の効果】
【００３３】
本発明のコンテンツ再生システムは、上記のように、互いに接続可能な携帯端末及びコンテンツ再生装置からなる表示システムにおいて、自装置に記憶されているコンテンツを接続されている上記表示装置に出力する通信端末、及び、接続されている上記携帯端末から入力されるコンテンツを表示する表示装置からなる表示システムであって、上記表示装置との接続を一時的に解除する前に、当該表示装置に対し、コンテンツの出力を停止すると共に、出力していたコンテンツの静止画像の表示を指示する静止画像表示指示を出力する携帯端末と、上記静止画像表示指示を取得した時点で表示していたコンテンツの静止画像を表示する表示装置とを備えている。
【００３４】
上記の構成によれば、例えば、通信ケーブル、無線通信などによって接続された上記表示装置にコンテンツを出力する上記携帯端末は、上記表示装置との接続を解除するときに、上記表示装置におけるコンテンツの表示を停止させると共に、コンテンツの静止画像を表示させる。これによって、上記表示システムは、上記携帯端末と上記表示装置との接続が解除されている間、上記表示装置に何も表示されない状態を回避し、当該表示装置にコンテンツの静止画像を表示させ続けることができる。このため、上記携帯端末に記憶されているコンテンツを上記表示装置で視ているユーザは、上記携帯端末と上記表示装置との接続が解除されている間も、上記表示装置に表示されるコンテンツの静止画像を視ることができる。
【図面の簡単な説明】
【００３５】
【図１】本実施形態に係る携帯電話及びテレビの構成を示すブロック図である。
【図２】本実施形態に係るコンテンツ再生システムの構成を示す図である。
【図３】本実施形態に係る携帯電話の構成の一例を示す図である。（ａ）は携帯電話の正面図であり、（ｂ）は携帯電話の右側面図であり、（ｃ）は携帯電話の背面図であり、（ｄ）は携帯電話の左側面図である。
【図４】本実施形態に係るテレビの構成の一例を示す図である。（ａ）はテレビの正面図であり、（ｂ）はテレビの右側面図であり、（ｃ）はテレビに備えられているリモートコントローラを示す図である。
【図５】本実施携帯に係る携帯電話におけるコンテンツの再生を一時的に停止する場合のコンテンツ再生システム１の動作を示すシーケンス図である。
【図６】静止画像にメッセージを重畳して表示している画面の一例を示す図である。
【図７】再生を一時的に停止した時点より前の時点からコンテンツの再生を再開する場合の、コンテンツの再生再開位置の一例を示す図である。
【発明を実施するための形態】
【００３６】
本実施形態に係るコンテンツ再生システムの一実施形態を、図１から図７を参照して説明する。本実施形態に係るコンテンツ再生装置はテレビジョン受像機によって実現されているため、以降これをテレビと呼称する。また、本実施形態に係るコンテンツ供給装置は携帯電話によって実現されているため、以降これを携帯電話と呼称する。
【００３７】
本実施形態に係るテレビとコンテンツ供給装置によって構成されるコンテンツ再生システムについて、図１から図４を参照して説明する。
【００３８】
まず、本実施形態に係るテレビと携帯電話によって構成されるコンテンツ再生システムについて、図２を参照して説明する。図２は本実施形態に係るコンテンツ再生システム１の構成を示す図である。図２に示すように、本実施形態に係るコンテンツ再生システム１は、自装置にて記録したコンテンツを、接続先の機器に供給する携帯電話１０（コンテンツ供給装置）、受信したコンテンツを再生するテレビ２０（コンテンツ再生装置）、及び、携帯電話１０とテレビ２０とを接続する通信ケーブル３０を備えている。なお、コンテンツとは、動画像、静止画像、音声などを含むデータである。
【００３９】
次に、本実施形態に係る携帯電話１０及びテレビ２０の構成を、図１、図３及び図４を参照して説明する。図１は、本実施形態に係る携帯電話１０及びテレビ２０の構成を示すブロック図である。図３は本実施形態に係る携帯電話１０の構成の一例を示す図である。図３（ａ）は携帯電話１０の正面図であり、同図（ｂ）は携帯電話１０の右側面図であり、同図（ｃ）は携帯電話１０の背面図であり、同図（ｄ）は携帯電話１０の左側面図である。図４は、本実施形態に係るテレビ２０の構成の一例を示す図である。図４（ａ）はテレビ２０の正面図であり、同図（ｂ）はテレビ２０の右側面図であり、同図（ｃ）はテレビ２０に備えられているリモートコントローラ（リモコン）２５を示す図である。
【００４０】
（携帯電話の構成）
図１に示すように、携帯電話１０は、カメラ１０１、マイク１０２、操作部１０３、データ処理部１０４、録画・再生制御部１０５、記憶部１０６、ディスプレイ１０７、スピーカ１０８、通信部１０９、無線通信部１１０、３Ｇ通信部１１１、及び、通話制御部１１４を備えている。
【００４１】
カメラ１０１は、撮影範囲内に存在する被写体を撮影する手段である。なお、カメラ１０１は、被写体の静止画像を撮影してもよく、動画像を撮影してもよい。マイク１０２は、周囲の音声を録音する手段である。以下、カメラ１０１において撮影された静止画像、動画像などの映像、及び、マイク１０２において録音された音声を、コンテンツとも総称する。
【００４２】
操作部１０３は、ユーザの様々な操作（ユーザ指示）を受け付ける手段である。操作部１０３は、後述するように、文字入力、コンテンツの選択及び再生などのユーザ指示を受け付ける操作部１０３ａ、及び、カメラ１０１における静止画像の撮影、動画像の撮影の開始及び終了などのユーザ指示を受け付ける操作部１０３ｂを備えている。なお、カメラ１０１にて動画像を撮影するために操作部１０３ｂが操作されたとき、カメラ１０１における動画像の撮影の開始と同時にマイク１０２における音声の録音を開始してもよい。この場合、カメラ１０１における動画像の撮影を終了するために操作部１０３ｂが操作されたとき、カメラ１０１における動画像の撮影の終了と同時にマイク１０２における音声の録音を終了する。
【００４３】
データ処理部１０４は、コンテンツデータを符号化する手段であり、符号化したコンテンツデータを録画・再生制御部１０５に供給する。また、データ処理部１０４は、符号化されたコンテンツデータを復号する手段であり、複合したコンテンツデータを録画・再生制御部１０５に供給する。
【００４４】
録画・再生制御部１０５は、携帯電話１０の各種構成を統括的に制御する手段である。また、録画・再生制御部１０５は、データ処理部１０４において符号化されたコンテンツを多重化されたビットストリームに変換する手段であり、多重化されたコンテンツのビットストリームを分離してエレメンタリストリームに変換する手段である。また、録画・再生制御部１０５は、データ処理部１０４にて復号されたコンテンツを再生する。
【００４５】
また、録画・再生制御部１０５は、再生するコンテンツを選択するためのコンテンツ選択画面をディスプレイ２０７に表示する。コンテンツ選択画面には、例えば、記憶部１０６に記憶されているコンテンツのタイトル、長さ、撮影日、サムネイル画像などのコンテンツ情報が複数表示される。録画・再生制御部１０５は、コンテンツ選択画面に表示されたコンテンツ情報が操作部１０３ａの操作によって選択された場合、選択されたコンテンツ情報を有するコンテンツを再生する。
【００４６】
記憶部１０６は、カメラ１０１において撮影された映像、及び、マイク１０２において録音された音声を記憶する手段である。具体的には、記憶部１０６は、カメラ１０１及びマイク１０２において取得された後、データ処理部１０４にて符号化され、録画・再生制御部１０５にて多重化されたコンテンツを記憶する。記憶部１０６は、例えば、携帯電話１０に内蔵されたフラッシュメモリ、ＳＤカードなどの取外し可能なフラッシュメモリなどによって実現することができる。
【００４７】
ディスプレイ１０７及びスピーカ１０８は、録画・再生制御部１０５によって再生されたコンテンツを出力するための手段である。ディスプレイ１０７は、録画・再生制御部１０５によって再生されるコンテンツのうち、映像を表示する。ディスプレイ１０７は、録画・再生制御部１０５からの指示に従って、コンテンツ選択画面を表示する。ディスプレイ１０７は、液晶ディスプレイ（ＬＣＤ；Liquid Crystal Display）によって構成することができるが、本発明はこれに限定されるものではなく、例えば、ＥＬ（Electro Luminescence）ディスプレイ、プラズマディスプレイ（ＰＤＰ；Plasma Display Panel）、などで構成してもよい。スピーカ１０８は、録画・再生制御部１０５によって再生されるコンテンツのうち、音声を出力する。
【００４８】
通信部１０９は、通信ケーブル３０によって接続されている機器と通信し、録画・再生制御部１０５において再生されたコンテンツを機器に供給する手段である。通信部１０９は、ＨＤＭＩ端子によって構成することができるが、本発明はこれに限定されるものではなく、例えば、ＵＳＢ端子によって構成してもよい。
【００４９】
無線通信部１１０は、無線通信によって接続されている機器と通信し、録画・再生制御部１０５において復号されたコンテンツを機器に供給する手段である。無線通信部１１０の無線通信は、TransferJetによって実現することができるが、本発明はこれに限定されるものではなく、例えば、赤外線通信によって実現してもよい。
【００５０】
３Ｇ通信部１１１は、特定の通話周波数帯（２ＧＨｚ帯）で高速なデータ通信を行う手段である。具体的には、テレビ電話などのマルチメディアを利用したデータ通信を行う場合に利用される。
【００５１】
通話制御部１１４は、携帯電話１０での通話に関する動作を統括的に制御する手段である。また、通話制御部１１４は、電話を着信したときにコンテンツの再生が行われていた場合、コンテンツの再生を一時的に停止する旨の要求である一時停止要求を録画・再生制御部１０５に通知する。
【００５２】
なお、図３（ａ）に示すように、操作部１０３ａ及びディスプレイ１０７は、携帯電話１０の正面に設けられている。さらに、携帯電話１０の正面には、通話時に通話の相手から送信された音声データを音声に変換して出力する受話部１１２、及び、通話時に携帯電話１０の利用者の音声を音声信号に変換して送信する送話部１１３が備えられている。
【００５３】
図３（ｂ）に示すように、操作部１０３ｂ及びスピーカ１０８は、携帯電話１０の右側面に備えられており、図３（ｄ）に示すように、通信部１０９は、携帯電話１０の左側面に備えられている。
【００５４】
図３（ｃ）に示すように、カメラ１０１及びマイク１０２は、携帯電話１０の背面にそなえられている、さらに、携帯電話１０の背面には、カメラ１０１における撮影の際に被写体を照らすライト１１５が備えられている。
【００５５】
なお、上述した携帯電話１０に設けられている各部材の位置は、図３に示されている位置に限定されるものではなく、適宜変更することが可能である。
【００５６】
（テレビの構成）
図１に示すように、テレビ２０は、地デジチューナ部２０１、制御部２０５（再生手段）（記憶手段）、記憶部２０６、ディスプレイ２０７、スピーカ２０８、通信部２０９、無線通信部２１０、及び、リモコン受光部２１１を備えている。
【００５７】
地デジチューナ部２０１は、アンテナ（不図示）において受信した地上デジタル放送信号から、任意に選択されたチャンネルに重畳された地上デジタル信号を抽出する手段である。
【００５８】
制御部２０５は、テレビ２０の各種構成を統括的に制御する手段である。また、制御部２０５は、後述する通信部２０９又は無線通信部２１０を介して入力されるコンテンツを再生する第１の再生モードと、通信部２０９又は無線通信部２１０を介して入力される再生に関する指示（外部から供給される指示）に基づいてコンテンツを再生する第２の再生モードとを切り替える手段である。この制御部２０５は、再生モードの切り替えを、例えば携帯電話１０から送信されるホールド要求とともに送信されるモード切替指示信号により行う。
【００５９】
また、制御部２０５は、通信部２０９又は無線通信部２１０を介して機器が接続されたことを検出する。機器が接続されたことを検出した場合、制御部２０５は、接続された機器を操作するための画面（外部入力画面）を自動的にディスプレイ２０７に表示する。なお、外部入力画面の表示はこれに限定されるものではなく、例えば、後述する操作部２０３又はリモコン２５から外部入力画面を表示する旨の指示を取得したときに外部入力画面を表示する構成を採用してもよい。また、外部入力画面の例としては、例えば、接続された機器に記録されているコンテンツのタイトル、コンテンツの総再生時間、撮影日、サムネイル画像などのコンテンツ情報が複数表示されるコンテンツ選択画面などが挙げられる。さらに、コンテンツ選択画面に表示されたコンテンツ情報を基に、操作部２０３又はリモコン２５を操作することによってユーザが所望のコンテンツを選択できるようにしてもよい。
【００６０】
記憶部２０６は、外部から入力されたコンテンツを保存する手段である。記憶部２０６は、例えばフラッシュメモリによって実現することができるが、本発明はこれに限定されるものではなく、例えば、ＤＶＤ（Digital Versatile Disc）、ＢＤ（Blu-ray Disc）（登録商標）、ＨＤ（Hard Disc）などによって実現してもよい。
【００６１】
ディスプレイ２０７及びスピーカ２０８は、制御部２０５から供給されたコンテンツを出力するための手段、すなわちコンテンツを再生する再生手段である。ディスプレイ２０７は、制御部２０５から供給されるコンテンツのうち、映像を表示する。また、ディスプレイ２０７は、制御部２０５からの指示に従って、外部入力画面を表示する。ディスプレイ２０７は、液晶ディスプレイ（ＬＣＤ；Liquid Crystal Display）によって構成することができるが、本発明はこれに限定されるものではなく、例えば、ＥＬ（Electro Luminescence）ディスプレイ、プラズマディスプレイ（ＰＤＰ；Plasma Display Panel）、などで構成してもよい。スピーカ２０８は、制御部２０５から供給されるコンテンツのうち、音声を出力する。
【００６２】
通信部２０９は、通信ケーブル３０によって接続されている機器と通信し、接続された機器から供給されるコンテンツを受信する手段である。通信部２０９は、ＨＤＭＩ端子によって構成することができるが、本発明はこれに限定されるものではなく、例えば、ＵＳＢ端子によって構成してもよい。
【００６３】
無線通信部２１０は、無線通信によって接続されている機器と通信し、接続された機器から供給されるコンテンツを受信する手段である。無線通信部２１０の無線通信は、TransferJetによって実現することができるが、本発明はこれに限定されるものではなく、例えば、赤外線通信によって実現してもよい。
【００６４】
なお、図４（ａ）に示すように、ディスプレイ２０７及びスピーカ２０８は、テレビ２０の正面に設けられている。さらに、テレビ２０の正面には、テレビ２０に備えられているリモコンからの信号を受信するリモコン受光部２１１が備えられている。
【００６５】
図４（ｂ）に示すように、通信部２０９は、テレビ２０の右側面に設けられている。さらに、テレビ２０の右側面には、テレビ２０の音量調整、ディスプレイ２０７の輝度調整、チャンネルの選択、コンテンツの選択及び再生などのユーザ指示を受け付ける操作部２０３が設けられている。
【００６６】
また、図４（ｃ）に示すように、テレビ２０は、テレビ２０の音量調整、ディスプレイ２０７の輝度調整、チャンネルの選択、コンテンツの選択及び再生などのユーザ指示を受け付け、受け付けたユーザ指示をリモコン受光部２１１に送信するリモコン２５を備えている。
【００６７】
なお、上述したテレビ２０に設けられている各部材の位置は、図４に示されている位置に限定されるものではなく、適宜変更することが可能である。
【００６８】
（コンテンツ再生システムの動作）
次に、携帯電話１０とテレビ２０とを通信ケーブル３０にて接続したときに、携帯電話１０に記憶されているコンテンツをテレビ２０にて再生する、テレビ２０の第１の再生モードについて説明する。
【００６９】
テレビ２０に備えられている制御部２０５は、通信部２０９を介して携帯電話１０が接続されたことを検知すると、ディスプレイ２０７に、コンテンツ選択などの携帯電話１０から出力された画面を表示する。なお、コンテンツ選択画面は、ディスプレイ２０７に表示される代わりにディスプレイ１０７に表示されてもよく、ディスプレイ１０７及びディスプレイ２０７に共に表示されてもよい。
【００７０】
操作部１０３ａは、コンテンツ選択画面に表示されたコンテンツ情報に基づいて行われる、再生するコンテンツを選択するユーザ指示を受け付け、録画・再生制御部１０５に供給する。なお、ユーザ指示は、操作部２０３又はリモコン２５を操作することによって行われてもよい。この場合、制御部２０５はユーザ指示を、通信部２０９を介して携帯電話１０に供給する。
【００７１】
録画・再生制御部１０５は、ユーザ指示を取得すると、選択されたコンテンツを記憶部１０６から読み出し、再生する。また録画・再生制御部１０５は、再生したコンテンツを通信部１０９を介してテレビ２０に供給する。制御部２０５は、通信部２０９を介してコンテンツが入力されると、入力されたコンテンツの映像をディスプレイ２０７に表示し、音声をスピーカ２０８から出力する。
【００７２】
なお、ディスプレイ１０７には、ディスプレイ２０７に表示されている映像と同じ映像を表示してもよく、コンテンツ選択画面、コンテンツの総再生時間を表示する画面、コンテンツ一時停止などを表示する操作画面などを表示してもよい。また、スピーカ１０８からは、スピーカ２０８から出力される音声と同じ音声を出力してもよく、操作部１０３を操作した際に出力される操作音、再生されるコンテンツのサラウンドのための音声などを出力してもよい。
【００７３】
（一時停止時の動作）
続いて、携帯電話１０におけるコンテンツの再生を一時的に停止する場合のコンテンツ再生システム１の動作の一例について、図５から図７を参照して説明する。
【００７４】
図５は、携帯電話１０におけるコンテンツの再生を一時的に停止する場合のコンテンツ再生システム１の動作の一例を示すシーケンス図である。
【００７５】
図５に示すように、携帯電話１０が着信したときに録画・再生制御部１０５においてコンテンツの再生が行われていた場合、通話制御部１１４は、一時停止要求を録画・再生制御部１０５に通知する。
【００７６】
一時停止要求を取得した録画・再生制御部１０５は、コンテンツの再生を一時停止し、停止したコンテンツの静止画像を表示する旨のホールド要求（モード切替信号を含む）をテレビ２０に通知するよう通信部２０９に指示する。録画・再生制御部１０５はまた、再生を一時停止した時点のコンテンツのデータを一時停止情報として、記憶部１０６に記憶する。
【００７７】
ホールド要求を通知する指示を取得した通信部１０９は、テレビ２０にホールド要求を通知する。
【００７８】
携帯電話１０から通信部２０９を介してホールド要求を取得した制御部２０５は、ホールド要求を取得した時点でディスプレイ２０７に表示しているコンテンツのデータを記憶部２０６に記憶する。制御部２０５は、記憶したコンテンツデータを読み出して静止画像を生成しディスプレイ２０７に表示する、第２の再生モードを実行する。このとき、静止画像を表示するだけでなく、「携帯電話着信中」、「しばらくお待ち下さい」、「終話後、通信ケーブルを接続してください」などのメッセージを静止画像に重畳して表示してもよい。
【００７９】
図６に、静止画像にメッセージを重畳して表示している画面の一例を示す。図６は、静止画像にメッセージを重畳して表示している画面の一例を示す図である。
【００８０】
制御部２０５は、ディスプレイ２０７に静止画像を表示すると共に、静止画像の表示が完了した旨のホールド完了通知を通信部２０９を介して携帯電話１０に通知する。
【００８１】
通信部１０９は、通信部２０９から入力されたホールド完了通知を、録画・再生制御部１０５に通知する。
【００８２】
ユーザによって通信部１０９から通信ケーブル３０の端子が抜かれると、通信部１０９と通信ケーブル３０との接続が解除される。
【００８３】
ユーザによって操作部１０３ａに含まれる通話を開始するボタンが押下されると、通話制御部１１４は、携帯電話１０を通話状態に遷移させる。また、通話が終わった後、ユーザによって操作部１０３ａに含まれる通話を終了するボタンが押下されると、通話制御部１１４は、携帯電話１０における通話を終了させる。
【００８４】
通信部１０９に通信ケーブルが再び接続されると、録画・再生制御部１０５は、通信ケーブルが再び接続されたことを検出する。通信部１０９に通信ケーブルが再び接続されたことを検出すると、録画・再生制御部１０５は、記憶部１０６に記憶されている一時停止情報を読み出し、一時停止した時点からコンテンツの再生を再開する。また、再生を再開したコンテンツと共に、静止画像の表示を解除する旨のホールド解除要求をテレビ２０に対して通知するように通信部１０９に指示する。
【００８５】
再生を再開したコンテンツ及びホールド解除要求を通知する旨の指示を取得した通信部１０９は、テレビ２０に、再生されたコンテンツ及びホールド解除要求を通知する。
【００８６】
通信部２０９を介して、携帯電話１０にて再生されたコンテンツ及びホールド解除要求を取得した制御部２０５は、ホールド解除要求に基づいて静止画像の表示を終了し、取得したコンテンツをディスプレイ２０７に表示させる。
【００８７】
ここで、例えば、本実施形態に係る通信部１０９、通信部２０９がＨＤＭＩ端子であり、通信ケーブル３０がＨＤＭＩケーブルである場合、携帯電話１０において再生されたコンテンツは、ＨＤＭＩケーブルのＴＭＤＳ（Transition Minimized Differential Signaling）チャネルによってテレビ２０に伝送することができる。また、ユーザ指示、ホールド要求、ホールド完了通知、及び、ホールド解除要求は、ＨＤＭＩケーブルのＣＥＣ（Consumer Electronics Control）ラインによって伝送することができる。さらに、通信部１０９と通信ケーブル３０とが接続されているか接続が解除されているかの検出については、ＨＤＭＩ端子のＨＰＤ（Hot Plug Detect）ピンの電位がＨレベルに立ち上がったことを検知して接続を検出することができ、ＨＰＤピンの電位がＬレベルに立ち下がったことを検知して接続の解除を検出することができる。なお、本発明に係る通信部及び通信ケーブルはこれに限定されるものではない。
【００８８】
なお、本実施形態では、第２の再生モードとして、制御部２０５がホールド要求を取得したときに、ホールド要求を取得した時点で表示しているコンテンツの静止画像を表示し続ける構成を示したが、本発明はこれに限定されるものではない。
【００８９】
例えば、コンテンツの静止画像と共に音声を出力する構成、コンテンツの動画像を出力する構成などを採用してもよく、制御部２０５にてホールド要求を取得してからの経過時間をカウントし、所定の時間が経過した時点で、放送コンテンツ、ＢＤ（Blu-ray Disc）プレーヤから供給されるコンテンツなど他のコンテンツを再生する第３の再生モードに自動的に切り替える構成を採用してもよい。また、ホールド要求を取得した時点で、記憶部２０６に予め記憶されているコンテンツ、放送コンテンツなど他のコンテンツを再生する第３の再生モードを実行する構成を採用してもよい。
【００９０】
また、ホールド要求を取得した後、リモコンなどからのユーザ指示に基づいて、他のコンテンツを再生する第３の再生モードに切り替える構成を採用してもよい。これらの場合には、携帯電話からホールド解除要求を取得した時点で、表示されるコンテンツを携帯電話から入力されるコンテンツに切り替えればよい。
【００９１】
これによって、コンテンツの静止画像が長時間表示されることで、ユーザが手持ち無沙汰になることを防ぐことができる。
【００９２】
なお、本実施形態では、通信ケーブル３０が再び接続されたときに、再生を一時停止した時点からコンテンツの再生を再開する構成を示したが、本発明はこれに限定されるものではない。例えば、通信ケーブルが再び接続されたときに、再生を一時停止した時点よりも前の時点からコンテンツの再生を再開する構成を採用してもよい。
【００９３】
これによって、ユーザは、コンテンツの再生を一時停止することによってコンテンツの内容を忘れてしまった場合にも、一時停止された時点から再生が再開されるよりも内容をスムーズに思い出すことができるため、これから再生されるコンテンツの内容を容易に理解することができる。
【００９４】
また、再生を一時停止してから再生を再開するまでの期間の長さに応じて、コンテンツをどの時点から再生するかを決定してもよい。この場合には、再生を一時停止してから再開するまでの期間が長くなるにつれて、コンテンツの再生を、再生を一時停止した時点よりも、より前の時点から再開することが好ましい。
【００９５】
ユーザは、再生を一時停止してから再開するまでの期間が長いほどコンテンツの内容を忘れ易い傾向にあるため、これによって、再生を一時停止してから再開するまでの期間が長くてもコンテンツの内容をよりスムーズに思い出すことができ、これから再生されるコンテンツの内容を容易に理解することができる。
【００９６】
図７に、再生を一時的に停止した時点より前の時点からコンテンツの再生を再開する場合における、コンテンツの再生再開位置の一例を示す。図７は、再生を一時的に停止した時点より前の時点からコンテンツの再生を再開する場合の、コンテンツの再生再開位置の一例を示す図である。
【００９７】
なお、本実施形態では、通信ケーブル３０を介して携帯電話１０とテレビ２０とが接続されている場合を例に挙げて説明したが、本発明はこれに限定されるものではない。例えば、無線通信部１１０と無線通信部２１０との間で無線通信を行うことによって携帯電話１０とテレビ２０とを接続する構成を採用してもよい。この場合には、通信ケーブルの接続及び解除に代わって、携帯電話１０とテレビ２０との距離が無線通信可能な距離であるか否かによって上述の動作を行えばよい。
【００９８】
（プログラムおよび記録媒体）
携帯電話１０及びテレビ２０に含まれている各ブロックは、ハードウェアロジックによって構成すればよい。または、次のように、ＣＰＵ（Central Processing Unit）を用いてソフトウェアによって実現してもよい。
【００９９】
すなわち、携帯電話１０及びテレビ２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１００】
そして、本発明の目的は、携帯電話１０及びテレビ２０のプログラムメモリに固定的に担持されている場合に限らず、上記プログラムのプログラムコード（実行形式プログラム、中間コードプログラム、または、ソースプログラム）を記録した記録媒体を携帯電話１０及びテレビ２０に供給し、携帯電話１０及びテレビ２０が上記記録媒体に記録されている上記プログラムコードを読み出して実行することによっても、達成可能である。
【０１０１】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１０２】
また、携帯電話１０及びテレビ２０を通信ネットワークと接続可能に構成しても、本発明の目的を達成できる。この場合、上記のプログラムコードを、通信ネットワークを介して携帯電話１０及びテレビ２０に供給する。この通信ネットワークは携帯電話１０及びテレビ２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１０３】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１０４】
本発明は上述した実施形態に限定されるものではなく、請求項に示した範囲で種々の変更が可能である。
【産業上の利用可能性】
【０１０５】
本発明に係るコンテンツ再生装置は、テレビ、パーソナルコンピュータなどに好適に適用することができる。また、本発明に係るコンテンツ供給装置は、携帯電話、デジタルカメラ、デジタルビデオカメラなどに好適に適用することができる。
【符号の説明】
【０１０６】
１        コンテンツ再生システム
１０      携帯電話（コンテンツ供給装置）
２０      テレビ（コンテンツ再生装置）
２５      リモコン
３０      通信ケーブル
１０１    カメラ
１０２    マイク
１０３、１０３ａ、１０３ｂ  操作部
１０４    データ処理部
１０５    録画・再生制御部
１０６    記憶部
１０７    ディスプレイ
１０８    スピーカ
１０９    通信部
１１０    無線通信部
１１１    ３Ｇ通信部
１１２    受話部
１１３    送話部
１１４    通信制御部
１１５    ライト
２０１    地デジチューナ部
２０３    操作部
２０５    制御部（再生手段）（記憶手段）
２０６    記憶部
２０７    ディスプレイ
２０８    スピーカ
２０９    通信部
２１０    無線通信部
２１１    リモコン受光部
【図１】
0005571465.tif 000002
【図２】
0005571465.tif 000003
【図３】
0005571465.tif 000004
【図４】
0005571465.tif 000005
【図５】
0005571465.tif 000006
【図６】
0005571465.tif 000007
【図７】
0005571465.tif 000008